(57)【要約】【課題】異なる種類の好気性微生物による浄化処理を可能とする。【解決手段】収納部２３内の一方の端に、被処理水の流通方向に沿って、被処理水を収納部２３内へ導く導水部４０ａ、４０ｂ、４０ｃを複数配置し、収納部２３の他方の端に処理水を収納部２３の外へ導く導出路５２を設ける。各導水部４０ａ、４０ｂ、４０ｃを境にして、流速の異なる領域Ａ、Ｂ、Ｃが形成され、各領域で、異なる種類の好気性微生物が繁殖する。【選択図】図１
2004000872.tif 000002
【特許請求の範囲】
【請求項１】
被処理水が一定の方向に流通する収納部を備えた収納体と、
前記収納体の収納部に収納され、好気性微生物処理により被処理水を浄化処理する処理材と、
収納部内へ被処理水を導入する導入手段と、収納部内から処理水を導出する導出手段と、
前記収納部の横断面面積が、被処理水の流れる方向に沿って変化する浄化処理装置。
【請求項２】
前記収納部の横断面面積は、被処理水の流れる方向へ向けて減少する請求項１に記載の浄化処理装置。
【請求項３】
被処理水が一定の方向に流通する収納部を備えた収納体と、
前記収納体の収納部に収納され、好気性微生物処理により被処理水を浄化処理する処理材と、
前記収納部内へ被処理水を導入する導入手段と、
前記収納部内から処理水を導出する導出手段と、
前記導入手段は、被処理水の流れる方向に沿って複数配置されている浄化処理装置。
【請求項４】
前記導水手段は、環状に形成された導水路と、
前記導水路の内側と、外側とを連通する通水手段とを有している請求項１〜３のいずれか１に記載の浄化処理装置。
【請求項５】
前記導出手段は、環状に形成された導出路と、
前記導出路の内側と、外側とを連通する連通手段とを有している請求項１〜４のいずれか１に記載の浄化処理装置。
【請求項６】
被処理水は、中水である請求項１〜５のいずれか１に記載の浄化処理装置。
【請求項７】
前記処理材は、好気性微生物を担持した担持体を備えている請求項１〜６のいずれか１に記載の浄化処理装置。
【請求項８】
前記担持体は、木炭である請求項７に記載の浄化処理装置。
【請求項９】
前記環状に形成された導水路において、環の内側に配置され、両端が導水路に接続されている通水路を有し、通水手段は、前記通水路に設けられている請求項４〜８のいずれか１に記載の浄化処理装置。
【発明の詳細な説明】
【０００１】
【発明の属する技術分野】
この発明は、浄化処理装置にかかり、詳しくは微生物を用いて有機物の分解等を行う浄化処理装置に関するものである。
【０００２】
【従来の技術】
一般に、水の流動が少なく長期間水が滞留したままとなる、例えば湖沼、池、ダム、溜池などの閉鎖性水域においては、酸素濃度が比較的高い水面近傍では、アオコなどの藻類が発生し、また、酸素濃度が低い底部近傍では、アオコなどの藻類や各種生物の死骸が腐敗して汚泥として底部に堆積し、水質汚染が進行していく。特に、夏期においては、これらのような水質汚染が顕著に生じ悪臭の発生を生じている。
【０００３】
このため、閉鎖性水域における水質汚染の防止として、従来、閉鎖性水域の上部および中部の水を噴水および攪拌により酸素を供給して、微生物によってアオコなどの藻類や有機性汚濁物などを酸化分解したり、オゾンの供給により強制酸化したり、凝集剤により沈降分離したり、イオン交換樹脂やゼオライトを使って吸着除去したり、砂ろ過や膜ろ過など濾過装置により分離して、塩素等で滅菌処理したり、微生物を担持する多孔質セラミックス材料や木炭、活性炭などを充填した充填層を設けた装置を閉鎖性水域近傍に設置し、この充填層に酸素を曝気しつつポンプにて流通させて吸着や酸化分解するなど、様々な浄化装置が知られている。
【０００４】
また、近年、集合住宅や商業ビルなどでは、雨水を閉鎖性水域に貯水し、これを処理して中水（例えば、トイレ用水、噴水や池の水、雑用水などとして使用される水である。）として使用する設備を備えている。このような設備では、貯留水の腐敗を防止することに加え、中水へ浄化する浄化処理装置が必要となり、既述したような方式による浄化装置などが用いられる。
【０００５】
【発明が解決しようとする課題】
しかしながら、例えば閉鎖性水域の池、貯留槽等においては、春から夏にかけての水温の上昇に伴っての細菌や植物プランクトンの増殖に対しては、単なる噴水や攪拌による酸素供給によって微生物で酸化分解して浄化することは非常に困難である。また、ろ過、吸着或いは分離を行う装置や、滅菌する装置では溶解性の有機物質は分解できず、実質的な浄化処理ができない問題があり、さらにコスト高となる。
【０００６】
一方、充填層を設けた曝気式の浄化装置による浄化処理においては、水域外の場所に設備を設置するスペースが必要となり、特に集合住宅等に使用する場合には、設置スペースを確保することが困難であるなどの問題がある。さらに、充填層として多孔質セラミックス材料を用いるものについては、多孔質セラミックス材料の製造上および強度上、気孔率および比表面積の増大に制限があり、単位重量当たりの微生物の担持量に限界があり、微生物の担持量を増大するために、多孔質セラミックス材料を多量に用いると、装置が大型化し大掛かりな装置の設置工事が必要となって、設置スペースを確保することが一層困難となるなどの問題も有している。
【０００７】
さらに、木炭や活性炭などを用いて被処理水を処理する処理装置も知られているが、木炭や活性炭の吸着性にて処理するものは、被処理水を微生物にて確実に浄化処理するためには、微生物との接触時間を長くする必要があり、装置が大型化し、広域の設置スペースを必要とする問題がある。また、このような微生物は、接触する水の流速に応じて、その領域に生息できる種類が特定される。このため、浄化装置に供給する水の流速を特定してしまえば、その浄化装置内に生息する微生物は略決まってしまい、特定の種類の微生物による処理ができるのみで、他の微生物による浄化はできない。
【０００８】
この発明の第１の目的は、高効率浄化で知られる好気性微生物浄化処理の能力を下げることなく、小型化された浄化処理装置を提供することであり、第２の目的は、複数の種類の好気性微生物により水質浄化が可能な浄化処理装置を提供することである。
【０００９】
【課題を解決するための手段】
以上のような目的を達成する本発明は、以下の構成を有する。
（１）被処理水が一定の方向に流通する収納部を備えた収納体と、
前記収納体の収納部に収納され、好気性微生物処理により被処理水を浄化処理する処理材と、
収納部内へ被処理水を導入する導入手段と、収納部内から処理水を導出する導出手段と、
前記収納部の横断面面積が、被処理水の流れる方向に沿って変化する浄化処理装置。
【００１０】
（２）　前記収納部の横断面面積は、被処理水の流れる方向へ向けて減少する上記（１）に記載の浄化処理装置。
【００１１】
（３）　被処理水が一定の方向に流通する収納部を備えた収納体と、
前記収納体の収納部に収納され、好気性微生物処理により被処理水を浄化処理する処理材と、
前記収納部内へ被処理水を導入する導入手段と、
前記収納部内から処理水を導出する導出手段と、
前記導入手段は、被処理水の流れる方向に沿って複数配置されている浄化処理装置。
【００１２】
（４）　前記導水手段は、環状に形成された導水路と、
前記導水路の内側と、外側とを連通する通水手段とを有している上記（１）〜（３）のいずれか１に記載の浄化処理装置。
【００１３】
（５）　前記導出手段は、環状に形成された導出路と、
前記導出路の内側と、外側とを連通する連通手段とを有している上記（１）〜（４）のいずれか１に記載の浄化処理装置。
【００１４】
（６）　被処理水は、中水である上記（１）〜（５）のいずれか１に記載の浄化処理装置。
【００１５】
（７）　前記処理材は、好気性微生物を担持した担持体を備えている上記（１）〜（６）のいずれか１に記載の浄化処理装置。
【００１６】
（８）　前記担持体は、木炭である上記（７）に記載の浄化処理装置。
【００１７】
（９）　前記環状に形成された導水路において、環の内側に配置され、両端が導水路に接続されている通水路を有し、通水手段は、前記通水路に設けられている上記（４）〜（８）のいずれか１に記載の浄化処理装置。
【００１８】
【発明の実施の形態】
以下、本発明の好適実施形態について、添付図面に基づいて詳細に説明する。図１は、本発明の浄化処理装置１の全体断面側面図、図２及び図３は、同じく全体断面平面図である。
【００１９】
本発明の浄化処理装置１は、集合住宅等の雨水貯留槽や、池などの貯水部としての閉鎖性水域から給水手段としてのポンプを介して、供給され、この浄化処理装置１で処理された処理水は、閉鎖性水域へ戻される。
【００２０】
図１及び図２に示されているように、浄化処理装置１は、筒状の収納体２と、収納体２の収納部２３内に充填された処理材９と、収納部２３内に配置された導水手段４と、導出手段５と、処理材洗浄手段６とを備えている。
【００２１】
収納体２は、筒状に形成された本体２１と、本体２１の一方の端部を塞ぐ底部２２と、底部２２の周端部に形成された底部フランジ２２１と、他方の端部開口部の外周部に形成された開口部フランジ２５とを備えている。本体２１の内側には、本体２１の内壁と底部２２とに画成された収納部２３が形成されており、収納部２３の底部には、排出口２４が設けられ、排出口２４を介して、収納部２３と外部は連通している。排出口２４には、開閉弁２４１が設けられ、浄化処理時には、この開閉弁２４１は閉じられている。
【００２２】
開口部には、円形の蓋体３がパッキンを介して被せられており、この蓋体３によって収納部２３は密閉される。蓋体３の周端部には、孔３４が等間隔で、周端辺に沿って形成され、開口部フランジ２５に形成された孔２５１と、孔３４とを同時に挿通する締着ボルト８１とナット８２とによって締着固定されている。蓋体３の中央部には、孔３１が形成され、処理材洗浄手段６の空気供給管６１の接続端部が、孔３１内に位置している。浄化処理中は、孔３１には蓋３２が取り付けられる。蓋体３には、水充填用（または、空気排出用）として、充填孔３３が形成されている。
【００２３】
収納部２３内には、底面側から順に、処理材洗浄手段６、導水手段４、処理材９、導出手段５が、収納されている。
最下位置にいる処理材洗浄手段６の下側には、隙間が形成され、汚泥を貯留する汚泥貯留部が設けられている。処理材洗浄手段６は、空気供給管６１と、配気管６２と、枝管６３とを有している。空気供給管６１は、収納部２３の中央を上下方向に挿通し、下端には、配気管６２の中央部が接続されている。配気管６２は、底部２２の直径方向に配置されている。配気管６２には、底面に沿って、両側方向に伸びる枝管６３が、複数個設けられている。各枝管６２の表面には、複数の配気孔６４が形成されており、枝管６２の内側と外側を連通している。空気供給管６１を介して供給される空気は、配気管６２、枝管６２を介して、各配気孔６４から、収納部２３内へ供給される。この供給された空気により処理材９の洗浄が行われる。
【００２４】
処理材洗浄手段６の上側には、導水手段４が配置されている。導水手段４は、３つの導水部４０ａ、４０ｂ、４０ｃと、各導水部４０ａ、４０ｂ、４０ｃに被処理水を導く流入路４１とを備えている。各導水部４０ａ、４０ｂ、４０ｃは、環状の導水路４２ａ、４２ｂ、４２ｃと、各導水路４２ａ、４２ｂ、４２ｃの環の内側において、両端が導水路４２ａ、４２ｂ、４２ｃにそれぞれ接続された複数の通水路４３ａ、４３ｂ、４３ｃと、通水路４２に形成された、通水手段としての通水孔４４ａ、４４ｂ、４４ｃとを備えている。
流入路４１は、一端が、外部配管７を構成する端部管７２に連通している導入部４１１と、導入部４１１の他端に連通し、３つの導水部４０ａ、４０ｂ、４０ｃに処理水を分水する分水部４１２とを有している。
【００２５】
３つの導水部４０ａ、４０ｂ、４０ｃは、構成が同じであるので、導水部４０ａについて説明し、他の導水部４０ｂ、４０ｃについては、説明を省略する。図２に示されているように、環状の導水路４２ａは、略矩形に構成され、相互に平行な一対の流路４２１ａ、４２１ａ、と、流路４２１ａ、４２１ａに交わる相互に平行な一対の流路４２２ａ、４２２ａとによって構成さている。そして、一対の流路４２１ａ、４２１ａの間には、２つの通水路４３ａ、４３ａが架設されている。通水路４３ａ、４３ａの側面には、通水孔４４ａが複数個形成されている。この実施形態では、１つの通水路４３ａに８つの通水孔４４ａが形成されている。
【００２６】
導水路４２ａは、環状に形成することによって、導水路４２ａ内に加わる水圧は、路内を低速で流れる時に、管体の軸方向において略均一になり、その結果各通水路４３ａに加わる水圧も均一となる。これにより、各通水孔４４ａから収納部２３内に供給される被処理水の流量は、均一とすることができる。通水孔４４ａは、導水路４２ａに形成されていてもよい。この場合には、通水路４３ａは、設けられていてもよく、設けられていなくてもよい。
このよう構成は、他の導水部４０ｂ、４０ｃについても同様である。
この実施形態では、導水路、通水路、流入路は、全て管体で構成されており、断面形状は円形である。また、これらは、流入路４１、導水路４２、通水路４３の順で連通している。
【００２７】
以上のように構成された３つの導水部４０ａ、４０ｂ、４０ｃは、収納部２３の底部から順に、導出手段５が設けられている方向へ向けて（つまり、被処理水が流れる方向に）平行に配置されている。この実施形態では、等間隔に配置されている。
【００２８】
この環状に形成された導水路に流れる被処理水は、乱流や脈動の起こらない低速（流速３．０〜０．２５の範囲、より好ましくは、１．５ｍ／ｓｅｃ〜０．５ｍ／ｓｅｃの範囲）で流れることが好ましい。この流速は、前記範囲内であると、一層良好な効果を発揮することができる。
各管や孔の断面積は、処理水量から既述の流速を保持できるように計算された断面積とすることで、均一で同量の被処理水を処理材９へ供給することができる。
【００２９】
収納部２３内において、蓋体３の近傍には、導出手段５が配置されている。図３に示されているように、導出手段５は、流出路５１と、導出路５２と、通水路５３と、通水孔５４とを備えている。流出路５１は、流入路４１と同じ横断面積の管で構成され、一端が収納部２３の外部に連通し、外部の配管等に連通し、他端は、導出路５２に連通している。
【００３０】
導出路５２は、矩形の環状に構成されており、相互に平行な一対の流路５２１、５２１と、流路５２１、５２１に交わる相互に平行な一対の流路５２２、５２２とによって構成さている。そして、一対の流路５２１、５２１の間には、２つの通水路５３、５３が架設されている。通水路５３、５３の側面には、通水孔５４が複数個形成されている。この実施形態では、１つの通水路５３に２４個の通水孔５４が形成されている。これは、３つ導水部４０ａ、４０ｂ、４０ｃに形成された通水孔４４の数の総和である。通水孔４４、５４の径はそれぞれ同じである。通水路５３の外側には、フィルター５５が巻きつけられている。
【００３１】
導出路５２は、環状に形成することによって、導水路５２内の水圧は、路内を低速で流れる時に、管体の軸方向において略均一になり、その結果各通水路５３内の水圧も均一となる。これにより、各通水孔５４内に収納部２３から流入する処理水の流量は、均一とすることができる。通水孔５４は、導出路５２に形成されていてもよい。この場合には、通水路５３は、設けられていてもよく、設けられていなくてもよい。
【００３２】
この実施形態では、導出路、通水路、流出路は、全て管体で構成されており、断面形状は円形である。また、これらは、流出路５１、導出路５２、通水路５３の順で連通している。
【００３３】
導水路４２ａと導水路４２ｂの間には支持体４５が、導水路４２ｂと導水路４２ｃの間には支持体４６が、導水路４２ｃと導出路５２の間には支持体４６がそれぞれ配置され、相互に所定の間隔が維持されるように構成されている。
【００３４】
以上のように導水手段４や導出手段５が配置された収納部２３内には、処理材９が充填される。処理材９は、微生物を担持した担持体であり、担持体としては、多孔質体があり、例えば、多孔質セラミック、或いは活性炭がある。好ましくは、木炭がもちいられる。
【００３５】
この実施形態では、木炭が用いられる、特に好ましくは、中高温度炭化黒炭が用いられる。木炭は、弱アルカリ性で、ミネラル分がイオン化し、最も好気性微生物が繁殖し易い環境を備えているからである。このような木炭には、微生物（例えば、バクテリア、原生動物、菌類等）が繁殖し、この微生物は、水中の汚物（有機物）を捕捉して、分解・代謝・吸収により、水とガス（ＣＯ２）と無機物（ＮＯ３、ＳＯ４、ＰＯ４など）に分解し、浄化を行う。
【００３６】
特に、好気性微生物は、接触する水の流速に応じて、処理材で繁殖する種類が異なる。例えば、水が比較的きれいで、流れの速い領域で生息する微生物（動物プランクトン）は、例えば、ツリガネムシ、エダワカレツリガネムシ等の繊毛虫類などがあり、水が汚れた、遅い流れの領域で生息する微生物には、例えば、鞭毛虫類のモナス類等がある。これらの、好気性微生物は、処理材９に低流速で被処理水を接触させていると、処理材に付着して繁殖を始め、その流速域に応じて異なる微生物が繁殖する。
【００３７】
浄化処理装置１には、外部配管７から被処理水が供給される。この実施形態では、外部配管７には、ポンプが設置され、該ポンプから被処理水が送られる。外部配管７は、本管７１を有し、本管７１の一端には、枝管７３が設けられ、枝管７３の先端は、逆止弁を介してガス抜き孔３３に接続されている。この逆止弁は、枝管７３側から収納部２３内に水が流入することを防止しつつ、収納部２３内からガス抜き孔３３を介して、収納部２３内のガスを枝管７３へ排出するものである。一方、本管７１の他端には、端部管７２が接続されている。この接続部分は、相互にフランジ部７１１、７２２を重ね合わせて接続固定されている。端部管７２の先端には、排出口７２１が設けられ、溜まった汚泥等の排出口となっている。端部管７２の導入部４１１との接続部分には、フィルター７４が設けられている。
【００３８】
以上のような構成の浄化処理装置１の作用について説明する。
被処理水が流入路４１に供給されると、分水部４１２によって、被処理水は、各導水部４０ａ、４０ｂ、４０ｃに分配される。各導水部４０ａ、４０ｂ、４０ｃには、同じ数の通水孔４４が設けられているので、同量の被処理水が収納部２３内へ流出される。そして、流出された被処理水は、導出路５２へ向けて（図１中、矢印ａ、ｂ、ｃの方向）流れはじめる。
【００３９】
そして、導水部４０ａから導水部４０ｂまでの領域Ａは、導水部４０ａから流出した被処理水のみが流通し、導水部４０ｂから導水部４０ｃまでの領域Ｂでは、導水部４０ａと導水部４０ｂから流出した被処理水が流通する。この２つの領域Ａ、Ｂを比べると、流通する収納部２３の横断面積は一定であり、流通する被処理水の流量が増加するので、その分、流速は速くなる。つまり、領域Ａよりも領域Ｂの領域は速くなる。同様に、導水部４０ｂから導出路５２までの領域Ｃでは、導水部４０ａ、導水部４０ｂ、導水部４０ｃのすべてから流出した被処理水が流通する。この２つの領域Ｂ、Ｃを比べると、流通する収納部２３の横断面積は一定であり、流通する被処理水の流量が増加するので、その分、流速は速くなる。従って、領域Ａ、領域Ｂ、領域Ｃの順で、流速は速くなっていく。
【００４０】
これにより、各領域に位置する処理材において繁殖する微生物は、その流速において繁殖しやすい微生物となり、それぞれ異なる微生物となる。そして、この発明の浄化処理装置によれば、各微生物が処理する被処理水中の不純物も異なるので、より多くの種類の不純物を処理することができる。
【００４１】
なお、被処理水に対して処理材９を均一に作用させるためには、導水部４０ａ、４０ｂ、４０ｃから供給される水の流れが、平断面（収納部２３を水平面（導水路４３を含む平面に平行な面）で切った場合に表れる断面）内で均一であることが好ましく、導水路４３をループにすることによって、より均一化が図られている。特に、この装置では、微生物による処理であるために、流速を低く押さえる必要があり、不均一な流速は、流速の速い部分と、遅い部分が生じ、均一に微生物に接触することができず、浄化効率が抑制されるおそれがある。しかし、この発明では、導水路４２をループとすることで、流速を低くした状態で、均一な流速とすることが可能となった。
【００４２】
また、下側から上側へ被処理水が上昇するように、水流を設定したので、夏場に、池などで暖まった水を処理する際には、水の対流の方向に、被処理水の流れの方向が合致し、淀みのより少ない被処理水の流れを実現することができる。　　他の実施形態としては、導水部４０を単一とし、これを収納部２３の片方の端部に配置し、導出路５２は、他方の端部に配置した構成としてもよい。そして、収納部２３の形状は、導水部４０から導出路５２へ向けて、（被処理数の流れる方向に向けて）横断面形状が一次的に漸減する構成とする。他の構成は、上記実施形態と同様である。
【００４３】
このような構成とすると、導水部４０から導出路５２へ向けて、流量が変わらずに流路の横断面積が縮小するので、被処理水の流速は速くなって行く。これにより、流速の異なる領域が生じ、第１の実施形態と同様の効果が得られる。特に、この構成では、流入した被処理水が、全ての領域の処理材に接触することができるので、より処理効率が向上する。また、多少流速が変化しても、微生物の生息できる領域が流水の流れる方向に変化するだけで、生息する微生物自体が変化することは少ない。
【００４４】
この他、収納部２３の横断面積が段階的に変化させてもよい。この場合にも、同様の効果が得られる。また、収納体２は、円筒状に限らず、角筒状、箱状（立方体、直方体）などの形状であってもよい。
【００４５】
【発明の効果】
請求項１に記載の発明によれば、収納部の横断面面積の変化に応じて、被処理水の流速に変化が生じ、流速が異なる領域毎に、異なる不純物の処理ができ、浄化効率を上げることができる。
【００４６】
請求項２の記載の発明によれば、収納部の横断面面積が処理水の流れる方向に沿って減少するので、この横断面面積の減少にそって流水は速くなる。これにより、処理水が最初に接触する処理材では被処理水中の大きな不純物が最初に処理される。さらに、被処理水が進むと、流速は速くなり、残りの細かい不純物が、最後に処理される。大きな不純物は流れの遅い領域で、最初に処理されるので、目詰まり等が生じにくく、処理効率が向上する。
【００４７】
請求項３に記載の発明によれば、被処理水の流れる方向に沿って導水手段を複数設けることにより、導出手段へ向けて被処理水の流れを速くなるように構成することができる。これにより、請求項２に記載の発明と同様の効果を得ることができる。
【００４８】
請求項４に記載の発明によれば、環状の導水路から被処理水を処理材に供給することにより、被処理水の流れの速度を処理材に対して均一に維持することができる。
【００４９】
処理材に各部分における水との接触時間が均一となり、特に、低速流速における微生物浄化処理において、処理効率を一層向上さることができる。
【００５０】
請求項５に記載の発明によれば、環状の導出路から処理水を排出することにより、被処理水の流れの速度を処理材に対して均一に維持することができる。換言すると、処理材に各部分における水との接触時間が均一となり、低速流速における微生物浄化処理において、処理効率を一層向上さることができる。
【００５１】
請求項６に記載の発明によれば、中水の浄化に用いることで、従来の装置に比較して、安価にかつ迅速に浄化することができる。
【００５２】
請求項７に記載の発明によれば、流速の異なる領域が生じるので、流速に応じた種類の異なる好気性微生物が処理材に付着する。この異なる種類の好気性微生物により、それぞれ異なる種類の不純物が処理できるので、浄化処理能力が向上する。
【００５３】
請求項８に記載の発明よれば、担持体を木炭とすることで、製造コストを安価にすることができる。
【００５４】
請求項９に記載の発明によれば、環の内側に通水路を設けることにより、導水路を複数設けることなく、通水手段（通水孔）を通過する流量を均一に維持することができるので、構成を簡易にすることができる。
【図面の簡単な説明】
【図１】本発明の浄化処理装置の全体断面側面図である。
【図２】本発明の浄化処理装置の全体断面平面図である。
【図３】本発明の浄化処理装置の全体断面平面図である。
【符号の説明】
１　浄化処理装置
２　収納体
２１　本体
２２　底部
２２１　底部フランジ
２３　収納部
２４　排出口
２５　開口部フランジ
３　蓋体
３１　孔
３２　蓋
３３　充填孔
３４　孔
４　導水手段
４０　導水部
４１　流入路
４１１　導入部
４１２　分水部
４２　導水路
４３　通水路
４４　通水孔
５　導出手段
５１　流出路
５２　導出路
５３　通水路
５４　通水孔
５５　フィルター
６　処理材洗浄手段
６１　空気供給管
６２　配気管
６３　枝管
６４　配気孔
７　外部配管
９　処理材
【図１】
2004000872.tif 000003
【図２】
2004000872.tif 000004
【図３】
2004000872.tif 000005